(57)【要約】【課題】本発明は、ウェブサイトとアプリでの会員間の会員紹介システムに関するものである。【解決手段】本発明は、ウェブサイトとアプリでの会員間の会員紹介システムに関するものであり、より詳細には、インターネット上のウェブサイトとアプリのプログラムを利用して、オンライン上で会員間の出会いを斡旋しているウェブサイトとアプリケーションでの会員間の会員紹介システムに関するものである。【選択図】図１
2015517153.tif 000002
【特許請求の範囲】
【請求項１】
ウェブサイトとアプリでの会員間の会員紹介システムにおいて、会員クライアントに会員紹介アプリを提供するための会員紹介アプリ提供部１５１、前記会員紹介アプリ提供部によって提供された会員紹介アプリを搭載したり、ウェブサイトに接続した会員クライアントから基礎個人情報とプロファイル情報を取得して登録させるための会員登録部１５２、前記取得されたプロファイル情報の中、写真情報を抽出して、写真情報データベースに保存させるための写真情報登録部１５３、前記取得された基礎個人情報やプロフィール情報を会員情報データベースに保存させるための会員情報登録部１５４、前記写真情報登録部から処理された写真情報を保存している写真情報データベース１５５、前記会員情報登録部から処理された基礎個人情報やプロフィール情報を保存している会員情報データベース１５６、前記写真情報データベースと会員情報データベースに保存された情報を利用承認審査端末に送出するための審査用情報送出部１５７、利用承認審査端末から承認審査の通過情報を取得するための承認審査の通過情報取得部１５８及び、前記承認審査を通過した会員の基礎個人情報と写真情報を会員マッチング手段に送出するための通過会員情報送出部１５９を含んで構成されるマッチング会員登録手段１５０と；通過会員情報送出部から送出された情報を取得して性別、居住地域、希望地域、年齢、理想型情報を抽出してマッチング用基本情報データベースに保存させるためのマッチング用基本情報の保存処理部１８１、前記マッチング用基本情報の保存処理部によって処理された情報を保存するためのマッチング用基本情報データベース１８２、前記マッチング用基本情報データベースに保存された会員の現在の接続位置を抽出するための現在の接続位置抽出部１８３、前記マッチング用基本情報データベースと現在の接続位置抽出部により抽出された情報を参照して、男性会員には女性会員を、女性会員には男性会員を推薦するためのマッチング会員の推薦部１８４、前記マッチング会員の推薦部によって推薦された会員等に、相手の異性会員の連絡先情報が含まれていない詳細個人情報を提供するための詳細個人情報提供部１８５、異性会員クライアント端末から好感表示のメッセージを取得するための好感表示のメッセージ取得部１８６、前記好感表示のメッセージ取得部によって異性会員の両方に好感表示のメッセージを取得したのかを判断して皆から受信した場合に、相手の異性会員の連絡先情報を提供するための連絡先情報提供部１８７、好感表示メッセージの受信時間をカウントするためのメッセージの受信時間カウント部１８８及び、前記詳細個人情報提供部から相手の異性会員に詳細個人情報を提供した時間から指定された時間まで好感表示のメッセージを送出したのかを好感表示のメッセージ取得部を参照して判断した後、指定された時間まで獲得していなかった場合に、新しい異性会員を推薦するための新規異性会員の推薦部１８９を含んで構成される会員マッチング手段１８０と；を含んで構成される会員紹介サーバ１００と;
前記会員紹介サーバから提供された会員紹介アプリを実行させたり、ウェブサイトにアクセスして、基礎個人情報、プロファイル情報及び、現在位置情報を会員紹介サーバに提供するための会員クライアント２００と;
前記会員紹介サーバから提供される会員情報と写真情報を取得し、承認審査の通過情報を会員紹介サーバに提供するための利用承認審査端末３００と;を含んで構成されるが、
前記連絡先情報提供部１８７は、好感表示時、連絡先の確認時、メッセージとチャットの進行時、好感点数の確認時、セルフおすすめ時、相似形推薦時、魅力会員の推薦時、公開申請時、過去推薦人物の再推薦時に、その機能を実行するためのアイテムを提供するためのアイテムの提供モジュール(図示せず)を含んで構成されることを特徴とするウェブサイトとアプリでの会員間の会員紹介システム。
【請求項２】
前記会員紹介サーバ１００は、
マッチングされた男性会員と女性会員にメッセージやチャット機能を提供する情報共有提供部をさらに含んで構成されることを特徴とする請求項１に記載のウェブサイトとアプリでの会員間会員紹介システム。
【請求項３】
前記マッチング会員の推薦部１８４は、
異性会員を推薦する場合に国籍、居住国、居住地域、接続地域、選好地域、宗教、年齢、理想型情報を参照して推薦することを特徴とする請求項１に記載のウェブサイトとアプリでの会員間の会員紹介システム。
【請求項４】
前記マッチング会員の推薦部１８４は、
異性会員を推薦する場合に、過去推薦した異性会員の場合に推薦された後、設定された期間が経過するか、新しい異性会員を設定された推薦回数を超過するまで再推薦しないことを特徴とする請求項１に記載のウェブサイトとアプリでの会員間の会員紹介システム。
【請求項５】
前記会員紹介サーバは、
推薦された異性会員の個人情報を確認してから好感度を点数で評価するための点数表を提供するための点数表提供部をさらに含んで構成されることを特徴とする請求項１に記載のウェブサイトとアプリでの会員間の会員紹介システム。 
【請求項６】
前記会員紹介サーバは、
推薦された異性会員から当該会員に付与したおすすめの異性個人別好感の点数ビュー、推薦会員等の好感点数の平均点数ビュー、同性の会員とその会員との平均点数比較を実行するための情報を提供する好感点数提供部をさらに含んで構成されることを特徴とする請求項１に記載のウェブサイトとアプリでの会員間の会員紹介システム。 
【請求項７】
前記マッチング会員の推薦部１８４は、
異性会員を推薦する場合に会員自ら推薦を受けたい異性会員を選択することができる情報を提供するためのセルフ推薦モジュール１８４aと、
推薦を受けたい異性会員を選択した場合に、異性会員の好感表示された回数が設定された上位圏の上位会員、好感点数が設定された上位圏の上位会員をフィルタリングして提供するための会員フィルタリングモジュール１８４bを含む構成されることを特徴とする請求項１に記載のウェブサイトとアプリでの会員間の会員紹介システム。
【請求項８】
前記マッチング会員の推薦部１８４は、
異性会員を推薦する場合に、会員が公開マッチング申請のための情報を提供するための公開マッチング選択モジュール１８４fと、
公開マッチング申請情報を取得にすると、利用承認審査端末の審査を経て合格した場合に異性会員全体に推薦するための公開推薦モジュール１８４gを含んで構成されることを特徴とする請求項１に記載のウェブサイトとアプリでの会員間の会員紹介システム。
【請求項９】
前記マッチング会員の推薦部１８４は、
好感を表示するための指定時間が経過した場合に、新しい異性を推薦しながら、マッチング接続されていない過去の推薦会員リスト情報を推薦するための再推薦モジュール１８４hを含んで構成されることを特徴とする請求項１に記載のウェブサイトとアプリでの会員間の会員紹介システム。
【請求項１０】
前記マッチング会員の推薦部１８４は、
ウェブサイト上で接続したり、アプリケーションプログラムを実行する場合に位置情報を基に、その国で通用する言語で画面を提供し、サポートする言語を選択する場合に、その言語で画面を提供するための特定言語提供モジュール１８４iを含んで構成されることを特徴とする請求項１に記載のウェブサイトとアプリでの会員間の会員紹介システム。
【請求項１１】
前記マッチング会員の推薦部１８４は、
マッチング用基本情報データベースの情報だけを利用して異性会員を推薦することを特徴とする請求項１に記載のウェブサイトとアプリでの会員間の会員紹介システム。
【発明の詳細な説明】
【技術分野】
【０００１】
本発明は、ウェブサイトとアプリでの会員間の会員紹介システムに関するものであり、より詳細には、インターネット上のウェブサイトとアプリのプログラムを利用して、オンライン上で会員間の出会いを斡旋しているウェブサイトとアプリケーションでの会員間の会員紹介システムに関するものである。
【背景技術】
【０００２】
異性間の出会いや、新しい友人との出会いは、一般的に自己が所属する環境で行われるため、時間と空間が業務に限定されるほど、自分の新たな機会を持つことが難しくなる。 
【０００３】
電話やインターネットなどの通信媒体を介して未知の相手と会話したり、交際になる場合もあるが、相互に意見が一致され、信頼を持つには、多くの時間と手続きが必要なため、忙しい人には大いに助けにならない。
【０００４】
最終的に、人と人との間の直接的な新しい交際の機会は、だいたい中間に仲人がいるか、特別な行事を通してきっかけを持つ従来の方法以外に特別な手段がないのが実情である。 
【０００５】
このため、最も重要な異性間の出会いは、伝統的な見合い、紹介やイベントなどを通じて機会を提供しており、最近では、放送メディアとインターネットを利用した斡旋が有効になっているのが実情である。
【０００６】
ただし、インターネットを利用して出会いが行われた場合、相手が嬌飾してプロファイルを登録しておくことができ、相手が暴力性や扇情性を有することができる。 
【０００７】
また、従来の出会い中継サイトの場合、複数の男性または女性会員の個人情報を特定の会員に提供して、その特定の会員が選択する方式だった。 したがって、会員の個人情報が一方に露出されている不公平な面があるという問題点があった。
【発明の概要】
【発明が解決しようとする課題】
【０００８】
したがって、本発明は、前記のような従来の問題に鑑みなされたもので、本発明の目的は、会員紹介サイトやアプリケーションを実行して会員登録をし、管理者の承認審査プロセスを介して利用承認手続きを踏むことになり、利用承認を受けた利用者に入力された個人情報と現在の接続位置情報を参照して、マッチング成功の可能性が高い順に会員同士をマッチングさせることができるウェブサイトとアプリでの会員間の会員紹介システムの提供にある。
【０００９】
本発明の他の目的は、決められた時間内に相手とお互いに好感を表現してマッチングに成功するかどうかを決定し、マッチングの成功時に非公開情報の連絡先情報を提供することができ、同時にチャットやメッセージ機能を提供することができるウェブサイトとアプリでの会員間の会員紹介システムの提供にある。
【課題を解決するための手段】
【００１０】
本発明が解決しようとする課題を達成するために、
本発明の一実施によるウェブサイトとアプリでの会員間の会員紹介システムは、
ウェブサイトとアプリでの会員間の会員紹介システムにおいて、会員クライアントに会員紹介アプリを提供するための会員紹介アプリ提供部１５１、
前記会員紹介アプリ提供部によって提供された会員紹介アプリを搭載したり、ウェブサイトに接続した会員クライアントから基礎個人情報とプロファイル情報を取得して登録させるための会員登録部１５２、
前記取得されたプロファイル情報の中、写真情報を抽出して、写真情報データベースに保存させるための写真情報登録部１５３、
前記取得された基礎個人情報やプロフィール情報を会員情報データベースに保存させるための会員情報登録部１５４、
前記写真情報登録部から処理された写真情報を保存している写真情報データベース１５５、
前記会員情報登録部から処理された基礎個人情報やプロフィール情報を保存している会員情報データベース１５６、
前記写真情報データベースと会員情報データベースに保存された情報を利用承認審査端末に送出するための審査用情報送出部１５７、
利用承認審査端末から承認審査の通過情報を取得するための承認審査の通過情報取得部１５８及び、
前記承認審査を通過した会員の基礎個人情報と写真情報を会員マッチング手段に送出するための通過会員情報送出部１５９を含んで構成されるマッチング会員登録手段１５０と；
通過会員情報送出部から送出された情報を取得して性別、居住地域、希望地域、年齢、理想型情報を抽出してマッチング用基本情報データベースに保存させるためのマッチング用基本情報の保存処理部１８１、
前記マッチング用基本情報の保存処理部によって処理された情報を保存するためのマッチング用基本情報データベース１８２、
前記マッチング用基本情報データベースに保存された会員の現在の接続位置を抽出するための現在の接続位置抽出部１８３、
前記マッチング用基本情報データベースと現在の接続位置抽出部により抽出された情報を参照して、男性会員には女性会員を、女性会員には男性会員を推薦するためのマッチング会員の推薦部１８４、
前記マッチング会員の推薦部によって推薦された会員等に、相手の異性会員の連絡先情報が含まれていない詳細個人情報を提供するための詳細個人情報提供部１８５、
異性会員クライアント端末から好感表示のメッセージを取得するための好感表示のメッセージ取得部１８６、
前記好感表示のメッセージ取得部によって異性会員の両方に好感表示のメッセージを取得したのかを判断して皆から受信した場合に、相手の異性会員の連絡先情報を提供するための連絡先情報提供部１８７、
好感表示メッセージの受信時間をカウントするためのメッセージの受信時間カウント部１８８及び、
前記詳細個人情報提供部から相手の異性会員に詳細個人情報を提供した時間から指定された時間まで好感表示のメッセージを送出したのかを好感表示のメッセージ取得部を参照して判断した後、指定された時間まで獲得していなかった場合に、新しい異性会員を推薦するための新規異性会員の推薦部１８９を含んで構成される会員マッチング手段１８０と；を含んで構成される会員紹介サーバ１００と; 
前記会員紹介サーバから提供された会員紹介アプリを実行させたり、ウェブサイトにアクセスして、基礎個人情報、プロファイル情報及び、現在位置情報を会員紹介サーバに提供するための会員クライアント２００と;
前記会員紹介サーバから提供される会員情報と写真情報を取得し、承認審査の通過情報を会員紹介サーバに提供するための利用承認審査端末３００と;を含んで構成して、本発明の課題を解決することになる。
【発明の効果】
【００１１】
本発明に係るウェブサイトとアプリでの会員間の会員紹介システムは、
会員紹介サイトやアプリケーションを実行して会員登録をし、管理者の承認審査プロセスを介して利用承認手続きを踏むことになり、利用承認を受けた利用者に入力された個人情報と現在の接続位置情報を参照して、マッチングの成功可能性が高い順に会員同士をマッチングさせる効果を提供する。
【００１２】
また、決められた時間内に相手とお互いに好感を表現してマッチングに成功するかどうかを決定し、マッチングの成功時に非公開情報の連絡先情報を提供することができ、同時にチャットやメッセージ機能を提供することができる効果を提供する。
【図面の簡単な説明】
【００１３】
【図１】本発明の一実施によるウェブサイトとアプリでの会員間の会員紹介システムの全体構成図である。
【図２】本発明の一実施によるウェブサイトとアプリでの会員間の会員紹介システムの会員紹介サーバのブロック図である。
【図３】本発明の一実施によるウェブサイトとアプリでの会員間の会員紹介システムのマッチング会員の推薦部ブロック図である。
【図４】本発明の一実施によるウェブサイトとアプリでの会員間の会員紹介システムの会員登録時に画面を示す例示図である。
【図５】本発明の一実施によるウェブサイトとアプリでの会員間の会員紹介システムの推奨異性情報を提供する例を示す例示図である。
【図６】本発明の一実施によるウェブサイトとアプリでの会員間の会員紹介システムのアイテム購入券を示す例示図である。
【図７】本発明の一実施によるウェブサイトとアプリでの会員間の会員紹介システムの魅力診断画面を示す例示図である。
【図８】本発明の一実施によるウェブサイトとアプリでの会員間の会員紹介システムの過去の縁を提供する画面を示す例示図である。
【発明を実施するための形態】
【００１４】
前記課題を達成するための本発明の一実施によるウェブサイトとアプリでの会員間の会員紹介システムは、
ウェブサイトとアプリでの会員間の会員紹介システムにおいて、会員クライアントに会員紹介アプリを提供するための会員紹介アプリ提供部１５１、
前記会員紹介アプリ提供部によって提供された会員紹介アプリを搭載したり、ウェブサイトに接続した会員クライアントから基礎個人情報とプロファイル情報を取得して登録させるための会員登録部１５２、
前記取得されたプロファイル情報の中、写真情報を抽出して、写真情報データベースに保存させるための写真情報登録部１５３、
前記取得された基礎個人情報やプロフィール情報を会員情報データベースに保存させるための会員情報登録部１５４、
前記写真情報登録部から処理された写真情報を保存している写真情報データベース１５５、
前記会員情報登録部から処理された基礎個人情報やプロフィール情報を保存している会員情報データベース１５６、
前記写真情報データベースと会員情報データベースに保存された情報を利用承認審査端末に送出するための審査用情報送出部１５７、
利用承認審査端末から承認審査の通過情報を取得するための承認審査の通過情報取得部１５８及び、
前記承認審査を通過した会員の基礎個人情報と写真情報を会員マッチング手段に送出するための通過会員情報送出部１５９を含んで構成されるマッチング会員登録手段１５０と；
通過会員情報送出部から送出された情報を取得して性別、居住地域、希望地域、年齢、理想型情報を抽出してマッチング用基本情報データベースに保存させるためのマッチング用基本情報の保存処理部１８１、
前記マッチング用基本情報の保存処理部によって処理された情報を保存するためのマッチング用基本情報データベース１８２、
前記マッチング用基本情報データベースに保存された会員の現在の接続位置を抽出するための現在の接続位置抽出部１８３、
前記マッチング用基本情報データベースと現在の接続位置抽出部により抽出された情報を参照して、男性会員には女性会員を、女性会員には男性会員を推薦するためのマッチング会員の推薦部１８４、
前記マッチング会員の推薦部によって推薦された会員等に、相手の異性会員の連絡先情報が含まれていない詳細個人情報を提供するための詳細個人情報提供部１８５、
異性会員クライアント端末から好感表示のメッセージを取得するための好感表示のメッセージ取得部１８６、
前記好感表示のメッセージ取得部によって異性会員の両方に好感表示のメッセージを取得したのかを判断して皆から受信した場合に、相手の異性会員の連絡先情報を提供するための連絡先情報提供部１８７、
好感表示メッセージの受信時間をカウントするためのメッセージの受信時間カウント部１８８及び、
前記詳細個人情報提供部から相手の異性会員に詳細個人情報を提供した時間から指定された時間まで好感表示のメッセージを送出したのかを好感表示のメッセージ取得部を参照して判断した後、指定された時間まで獲得していなかった場合に、新しい異性会員を推薦するための新規異性会員の推薦部１８９を含んで構成される会員マッチング手段１８０と；を含んで構成される会員紹介サーバ１００と; 
前記会員紹介サーバから提供された会員紹介アプリを実行させたり、ウェブサイトにアクセスして、基礎個人情報、プロファイル情報及び、現在位置情報を会員紹介サーバに提供するための会員クライアント２００と;
前記会員紹介サーバから提供される会員情報と写真情報を取得し、承認審査の通過情報を会員紹介サーバに提供するための利用承認審査端末３００と;を含んで構成されることを特徴とする。
【００１５】
この時、前記会員紹介サーバ１００は、
マッチングされた男性会員と女性会員にメッセージやチャット機能を提供する情報共有提供部をさらに含んで構成されることを特徴とする。
【００１６】
この時、前記マッチング会員の推薦部１８４は、
異性会員を推薦する場合に国籍、居住国、居住地域、接続エリア、選好地域、宗教、年齢、理想型情報を参照して推薦することを特徴とする。
【００１７】
この時、前記マッチング会員の推薦部１８４は、
異性会員を推薦する場合に、過去推薦した異性会員の場合に推薦された後、設定された期間が経過するか、新しい異性会員を設定された推薦回数を超過するまで再推薦しないことを特徴とする。
【００１８】
この時、前記会員紹介サーバは、
推薦された異性会員の個人情報を確認してから好感度を点数で評価するための点数表を提供するための点数表提供部をさらに含んで構成されることを特徴とする。
【００１９】
この時、前記会員紹介サーバは、
推薦された異性会員から当該会員に付与したおすすめの異性個人別好感の点数ビュー、推薦会員等の好感点数の平均点数ビュー、同性の会員とその会員との平均点数比較を実行するための情報を提供する好感点数提供部をさらに含んで構成されることを特徴とする。
【００２０】
この時、前記マッチング会員の推薦部１８４は、
異性会員を推薦する場合に会員自ら推薦を受けたい異性会員を選択することができる情報を提供するためのセルフ推薦モジュール１８４aと、
推薦を受けたい異性会員を選択した場合に、異性会員の好感表示された回数が設定された上位圏の上位会員、好感点数が設定された上位圏の上位会員をフィルタリングして提供するための会員フィルタリングモジュール１８４bを含む構成されていることを特徴とする。
【００２１】
この時、前記マッチング会員の推薦部１８４は、
異性会員を推薦する場合に、会員が公開マッチング申請のための情報を提供するための公開マッチング選択モジュール１８４fと、
公開マッチング申請情報を取得にすると、利用承認審査端末の審査を経て合格した場合に異性会員全体に推薦するための公開推薦モジュール１８４gを含んで構成されることを特徴とする。
【００２２】
この時、前記マッチング会員の推薦部１８４は、
好感を表示するための指定時間が経過した場合に、新しい異性を推薦しながら、マッチング接続されていない過去の推薦会員リスト情報を推薦するための再推薦モジュール１８４hを含んで構成されることを特徴とする。
【００２３】
この時、前記マッチング会員の推薦部１８４は、
ウェブサイト上で接続したり、アプリケーションプログラムを実行する場合に位置情報を基に、その国で通用する言語で画面を提供し、サポートする言語を選択する場合に、その言語で画面を提供するための特定言語提供モジュール１８４iを含んで構成されることを特徴とする。
【００２４】
この時、前記マッチング会員の推薦部１８４は、
マッチング用基本情報データベースの情報だけを利用して異性会員を推薦することを特徴とする。 
【００２５】
以下、本発明によるウェブサイトとアプリでの会員間の会員紹介システムの実施例を介して詳細に説明する。
【００２６】
図１は、本発明の一実施によるウェブサイトとアプリでの会員間の会員紹介システムの全体構成図である。
【００２７】
図１に示すように、前記ウェブサイトとアプリケーションでの会員間の会員紹介システムは、
会員クライアントに会員紹介アプリを提供するための会員紹介アプリ提供部１５１、
前記会員紹介アプリ提供部によって提供された会員紹介アプリを搭載したり、ウェブサイトにアクセスした会員クライアントから基礎個人情報とプロファイル情報を取得して登録させるための会員登録部１５２、
前記取得されたプロファイル情報の中、写真情報を抽出して、写真情報データベースに保存させるための写真情報登録部１５３、
前記取得された基礎個人情報やプロフィール情報を会員情報データベースに保存させるための会員情報登録部１５４、
前記写真情報登録部から処理された写真情報を保存している写真情報データベース１５５、
前記会員情報登録部から処理された基礎個人情報やプロフィール情報を保存している会員情報データベース１５６、
前記写真情報データベースと会員情報データベースに保存された情報を利用承認審査端末に送出するための審査用情報送出部１５７、
利用承認審査端末から承認審査の通過情報を取得するための承認審査の通過情報取得部１５８及び、
前記承認審査を通過した会員の基礎個人情報と写真情報を会員マッチング手段に送出するための通過会員情報送出部１５９を含んで構成されるマッチング会員登録手段１５０と；
通過会員情報送出部から送出された情報を取得して性別、居住地域、希望地域、年齢、理想型情報を抽出してマッチング用基本情報データベースに保存させるためのマッチング用基本情報の保存処理部１８１、
前記マッチング用基本情報の保存処理部によって処理された情報を保存するためのマッチング用基本情報データベース１８２、
前記マッチング用基本情報データベースに保存された会員の現在の接続位置を抽出するための現在の接続位置抽出部１８３、
前記マッチング用基本情報データベースと、現在の接続位置抽出部により抽出された情報を参照して、男性会員には女性会員を、女性会員には男性会員を推薦するためのマッチング会員の推薦部１８４、
前記マッチング会員の推薦部によって推薦された会員等に、相手の異性会員の連絡先情報が含まれていない詳細個人情報を提供するための詳細個人情報提供部１８５、
異性会員クライアント端末から好感表示のメッセージを取得するための好感表示のメッセージ取得部１８６、
前記好感表示のメッセージ取得部によって異性会員の両方に好感表示のメッセージを取得したのかを判断して皆から受信した場合に、相手の異性会員の連絡先情報を提供するための連絡先情報提供部１８７、
好感表示メッセージの受信時間をカウントするためのメッセージの受信時間カウント部１８８及び、
前記詳細個人情報提供部から相手の異性会員に詳細個人情報を提供した時間から指定された時間まで好感表示のメッセージを送出したのかを好感表示のメッセージ取得部を参照して判断した後、指定された時間まで獲得していなかった場合に、新しい異性会員を推薦するための新規異性会員の推薦部１８９を含んで構成される会員マッチング手段１８０を含んで構成される会員紹介サーバ１００と;
前記会員紹介サーバから提供された会員紹介アプリを実行させたり、ウェブサイトにアクセスして、基礎個人情報、プロファイル情報及び、現在位置情報を会員紹介サーバに提供するための会員クライアント２００と;
前記会員紹介サーバから提供される会員情報と写真情報を取得し、承認審査の通過情報を会員紹介サーバに提供するための利用承認審査端末３００と;を含んで構成されることになる。
【００２８】
前記会員クライアント２００は、男性または女性が使用するPC、タブレット、スマートフォン、PDAなどがあったり、ネットワークを介してデータ通信が可能なすべてのデバイスを含むことができる。
【００２９】
前記会員紹介サーバ１００は、一般的に会員クライアントが接続することができるアプリのプログラムやWebページの情報を保存して管理することになる。
【００３０】
その動作原理を簡単に説明すれば、会員紹介サイトや会員紹介アプリのプログラムを実行して、会員紹介サービス利用者は、会員登録をすることになり、基礎個人情報(お住まいの地域、年齢、職業、学校、連絡先など)と追加情報(本人の写真、性格、 選好地域、理想型など)であるプロファイル情報を登録して会員登録をする。
【００３１】
前記利用承認審査端末３００は、会員紹介サーバから提供される会員情報と写真情報を取得し、承認審査の通過情報を会員紹介サーバに提供することになる。
【００３２】
即ち、登録したプロフィール情報をもとに、管理者が運営する利用承認審査端末から承認審査を通過した場合、会員同士のマッチングを利用できるようになり、承認審査を通過しなかった場合には、プロファイルを変更して再審査を受けることもできる。
【００３３】
このとき、前記会員紹介サーバは、会員情報に登録されている現在のお住まいの地域、希望地域、年齢、理想型と現在の接続位置情報を考慮してマッチングに成功する可能性が高い順に承認審査を通過した異性会員の１人以上の異性会員とマッチングさせることになる。
【００３４】
前記マッチング成功の可能性が高い順とは、現在の接続位置情報に加えて、個人情報も考慮の対象(居住地域、希望地域、年齢、理想型、宗教、年上年下など)に適用したことを意味する。
【００３５】
図２は、本発明の一実施によるウェブサイトとアプリでの会員間の会員紹介システムの会員紹介サーバのブロック図である。
【００３６】
図２に示すように、前記会員紹介サーバ１００は、
会員クライアントに会員紹介アプリを提供するための会員紹介アプリ提供部１５１、
前記会員紹介アプリ提供部によって提供された会員紹介アプリを搭載したり、ウェブサイトにアクセスした会員クライアントから基礎個人情報とプロファイル情報を取得して登録させるための会員登録部１５２、
前記取得されたプロファイル情報の中、写真情報を抽出して、写真情報データベースに保存させるための写真情報登録部１５３、
前記取得された基礎個人情報やプロフィール情報を会員情報データベースに保存させるための会員情報登録部１５４、
前記写真情報登録部から処理された写真情報を保存している写真情報データベース１５５、
前記会員情報登録部から処理された基礎個人情報やプロフィール情報を保存している会員情報データベース１５６、
前記写真情報データベースと会員情報データベースに保存された情報を利用承認審査端末に送出するための審査用情報送出部１５７、
利用承認審査端末から承認審査の通過情報を取得するための承認審査の通過情報取得部１５８及び、
前記承認審査を通過した会員の基礎個人情報と写真情報を会員マッチング手段に送出するための通過会員情報送出部１５９を含んで構成されるマッチング会員登録手段１５０を含んで構成される。
【００３７】
前記会員紹介アプリ提供部１５１は、会員クライアントに会員紹介アプリを提供するための機能を実行することになる。
【００３８】
この時、会員登録部１５２は、図４に示すように、会員紹介アプリ提供部によって提供された会員紹介アプリを搭載した会員クライアントまたはウェブサイトにアクセスした会員クライアントから基礎個人情報とプロファイル情報を取得するために、入力窓を提供することになり、その入力窓に情報を入力すれば、会員登録を進めることになる。
【００３９】
前記写真情報登録部１５３は、取得されたプロファイル情報の中、写真情報を抽出して、写真情報データベースに保存させるようにされ、前記会員情報登録部１５４は、取得された基礎個人情報やプロフィール情報を会員情報データベースに保存させる。
【００４０】
前記基礎個人情報は、電子メール、ニックネーム、名前、生年月日、携帯電話番号、血液型、所属、宗教、居住地域、国籍、希望地域、保有ポイント、保有アイテム、受信した好感数、カップル成功回数、魅力指数、メッセージなどを意味し、プロファイルは、写真、性格、外見、趣味、資格情報、職業などを意味する。 
【００４１】
前記審査用情報送出部１５７は、写真情報データベースと会員情報データベースに保存された情報を利用承認審査端末に送出するようになり、利用承認審査端末から承認審査の通過情報を承認審査の通過情報取得部１５８から取得して図４に示すように、承認完了という文句を会員クライアントの画面に提供することになる。
【００４２】
この時、前記通過会員情報送出部１５９は、承認審査を通過した会員の基礎個人情報と写真情報を会員マッチング手段に送出し、会員マッチングの前処理過程を完了することになる。
【００４３】
次は会員マッチング手段１８０に対して具体的に説明するようにする。
【００４４】
即ち、会員マッチング手段１８０は、
通過会員情報送出部から送出された情報を取得して性別、居住地域、希望地域、年齢、理想型情報を抽出してマッチング用基本情報データベースに保存させるためのマッチング用基本情報の保存処理部１８１、
前記マッチング用基本情報の保存処理部によって処理された情報を保存するためのマッチング用基本情報データベース１８２、
前記マッチング用基本情報データベースに保存された会員の現在の接続位置を抽出するための現在の接続位置抽出部１８３、
前記マッチング用基本情報データベースと、現在の接続位置抽出部により抽出された情報を参照して、男性会員には女性会員を、女性会員には男性会員を推薦するためのマッチング会員の推薦部１８４、
前記マッチング会員の推薦部によって推薦された会員等に、相手の異性会員の連絡先情報が含まれていない詳細個人情報を提供するための詳細個人情報提供部１８５、
異性会員クライアント端末から好感表示のメッセージを取得するための好感表示のメッセージ取得部１８６、
前記好感表示のメッセージ取得部によって異性会員の両方に好感表示のメッセージを取得したのかを判断して皆から受信した場合に、相手の異性会員の連絡先情報を提供するための連絡先情報提供部１８７、
好感表示メッセージの受信時間をカウントするためのメッセージの受信時間カウント部１８８及び、
前記詳細個人情報提供部から相手の異性会員に詳細個人情報を提供した時間から指定された時間まで好感表示のメッセージを送出したのかを好感表示のメッセージ取得部を参照して判断した後、指定された時間まで獲得していなかった場合に、新しい異性会員を推薦するための新規異性会員の推薦部１８９を含んで構成される。
【００４５】
つまり、マッチング用基本情報の保存処理部１８１は、通過会員情報送出部から送出された情報を取得して性別、居住地域、希望地域、年齢、理想型情報を抽出してマッチング用基本情報データベースに保存させることになる。
【００４６】
また、前記現在の接続位置抽出部１８３は、マッチング用基本情報データベースに保存された会員の現在の接続位置を抽出することになる。ウェブサイトの場合には、接続したアドレスを、アプリケーションの場合は、位置を追跡して接続位置を抽出することになる。
【００４７】
前記マッチング会員の推薦部１８４は、マッチング用基本情報データベースと現在の接続位置抽出部により抽出された情報を参照して、男性会員には女性会員を、女性会員には男性会員を推薦することになる。
【００４８】
すなわち、図５に示すように、接続した会員が男性なので、女性会員のプロフィール情報を提供することになるが、詳細個人情報提供部１８５でマッチング会員の推薦部によって推薦された会員等に、相手の異性会員の連絡先情報が含まれていない詳細個人情報を提供することである。
【００４９】
一方、本発明の他の実施例によって、前記マッチング会員の推薦部１８４は、マッチング用基本情報データベースの情報だけを利用して異性会員を推薦することもできる。
【００５０】
したがって、現在の接続位置の抽出とは関係なく、基本的な情報だけでマッチングが可能である。
【００５１】
この時、前記好感表示のメッセージ取得部１８６は、異性会員クライアント端末から好感表示のメッセージを取得して、図５に示すように、好感表現アイコンに好感度を表示するようになる。
【００５２】
この時、連絡先情報提供部１８７は、好感表示のメッセージ取得部によって異性会員の両方に好感表示のメッセージを取得したのかを判断して皆から受信した場合に、相手の異性会員の連絡先情報を提供することになる。
【００５３】
このとき、前記メッセージ受信時間カウント部１８８は、好感表示メッセージの受信時間をカウントして、図５に示すように、合コンの残り時間を表示するようになる。 
【００５４】
もし、詳細個人情報提供部から相手の異性会員に詳細個人情報を提供した時間から指定された時間まで好感表示のメッセージを送出したのかを好感表示のメッセージ取得部を参照して判断した後、指定された時間まで獲得していなかった場合に、新規異性会員の推薦部１８９は、新しい異性会員を推薦することになる。
【００５５】
前記新しい異性会員の推薦は、次順位の異性会員を推薦することになる。
一方、付加的な様相による会員紹介サーバ１００は、マッチングされた男性会員と女性会員にメッセージやチャット機能を提供する情報共有提供部をさらに含んで構成してマッチングされた会員にリアルタイムの情報共有のためのプログラムを実行することになる。
【００５６】
前記マッチング会員の推薦部１８４は、
異性会員を推薦する場合に、過去推薦した女性会員の場合に推薦された後、設定された期間が経過するか、新しい異性会員を設定された推薦回数を超過するまで、再推薦しないことを特徴とする。
【００５７】
つまり、管理者が設定した期間が過ぎたり、新しい異性会員を設定された推薦回数を超過するまで、再推薦しないことになる。
【００５８】
前記会員紹介サーバは、
推薦された異性会員の個人情報を確認してから好感度を点数で評価するための点数表を提供するための点数表提供部をさらに含んで構成することになる。
【００５９】
つまり、好感度を点数で評価することができる選択窓を提供し、これを好感度ランキングの計算時に参照することになる。
【００６０】
前記会員紹介サーバは、
推薦された異性会員から当該会員に付与したおすすめの異性個人別好感の点数ビュー、推薦会員等の好感点数の平均点数ビュー、同性の会員とその会員の平均点数比較を実行するための情報を提供する好感点数提供部をさらに含んで構成され、これは客観的な指標として活用するための手段なのである。
【００６１】
一方、前記マッチング会員の推薦部１８４は、
異性会員を推薦する場合に会員自ら推薦を受けたい異性会員を選択することができる情報を提供するためのセルフ推薦モジュール１８４aと、
推薦を受けたい異性会員を選択した場合に、異性会員の好感表示された回数が設定された上位圏の上位会員、好感点数が設定された上位圏の上位会員をフィルタリングして提供するための会員フィルタリングモジュール１８４bとを含む構成することになる。
【００６２】
つまり、セルフ推薦モジュール１８４aは、異性会員を推薦する場合に会員自ら推薦を受けたい異性会員を選択することができる情報を提供するが、前記会員フィルタリングモジュール１８４bは、推薦を受けたい異性会員を選択した場合に異性会員の好感表示された回数が設定された上位圏の上位会員、好感点数が設定された上位圏の上位会員をフィルタリングして提供することになる。
【００６３】
たとえば、会員が上位２０位内に選択した場合、２０位内の上位会員をフィルタリングして提供することになる。
【００６４】
また、前記マッチング会員の推薦部１８４は、
異性会員を推薦する場合に、会員が有名人を選ぶことができる情報を提供するための有名人の選択モジュール１８４cと、
前記選択された有名人の情報を参照して登録された異性会員の写真を認識して有名人に似た状態が高い会員を推薦するための相似形推薦モジュール１８４dとを含んで構成される。有名人の選択モジュールで異性会員を推薦する場合に会員が有名人を選ぶことができる情報を提供するようになって、例えば、男性会員が芸能人であるゾンジヒョンを選択すると、前記相似形推薦モジュールは、選択された有名人の情報を参照して登録された異性会員の写真を認識して有名人と似た状態が高い会員を推薦することになる。
【００６５】
前記写真の認識技術は、既に当業者に広く知られている技術なので詳細な説明は省略する。
【００６６】
前記マッチング会員の推薦部１８４は、
異性会員を推薦する場合に高い好感点数を受けた会員、好感表示された回数が多い会員、管理者選定優秀会員を推薦するための魅力会員の推薦モジュール１８４eを含んで構成される。これは特定の会員が特定のアイテムを購入して使用する場合に、前記魅力会員を提供するものであり、図６の魅力ピープル接続券を購入してこれを使用すると、提供することになる。
【００６７】
前記マッチング会員の推薦部１８４は、 
異性会員を推薦する場合に、会員が公開マッチング申請のための情報を提供するための公開マッチング選択モジュール１８４fと、
公開マッチング申請情報を取得すると、利用承認審査端末の審査を経て合格した場合に異性会員全体に推薦するための公開推薦モジュール１８４gを含んで構成される。
【００６８】
つまり、会員が公開マッチング申請を選択すると、公開推薦モジュールでは、利用承認審査端末の審査を経て合格した場合に異性会員全体に推薦することになる。
【００６９】
また、別のアイテム利用券を購入して使用すれば、実行できるように構成することもできる。
【００７０】
また、前記マッチング会員の推薦部１８４は、
好感を表示するための指定時間が経過した場合に、新しい異性を推薦しながら、マッチング接続されていない過去の推薦会員リスト情報を推薦するための再推薦モジュール１８４hを含む構成される。これは、図６に示した過去因縁の再接続券を購入して使用すると、マッチング接続されていない過去の推薦会員リスト情報を推薦することになる。
【００７１】
これを使用する場合、図８の画面を提供することになる。
【００７２】
一方、付加的な面に沿った前記連絡先情報提供部１８７は、
好感表示時、連絡先の確認時、メッセージとチャットの進行時、好感点数の確認時、セルフおすすめ時、相似形推薦時、公開申請時、過去推薦人物の再推薦時に、その機能を実行するためのアイテムを提供するためのアイテム提供モジュール(図示せず)を含んで構成されることを特徴とする。
【００７３】
つまり、 好感表示時、点数の確認時、または推薦の要請時に利用可能なアイテム券をその会員に提供して、これを購入した場合に、図４に示すように、保有アイテムの数を増加させることになる。
【００７４】
一方、図７に図示したように、私の魅力診断を確認するための魅力診断書の窓を提供して魅力診断書を購入すると、その会員の好感度点数を確認できるようになる。
【００７５】
前記マッチング会員の推薦部１８４は、
ウェブサイト上で接続したり、アプリケーションプログラムを実行する場合に位置情報を基に、その国で通用する言語で画面を提供し、サポートする言語を選択した場合に、その言語で画面を提供するための特定言語提供モジュール１８４iを含んで構成される。
【００７６】
つまり、位置情報に基づいて、その国で通用する言語でも提供することを基本としており、会員がサポートする言語を選択した場合に、その言語で画面を提供して意思疎通が円滑に遂行できるようにする。
【００７７】
以上のような内容の本発明の属する技術分野の当業者は、本発明の技術的思想や必須特徴を変更せずに他の具体的な形で実施されることがあることを理解できるだろう。したがって、以上で記述した実施例はすべての面で例示されたものであり、限定的なものではないものとして理解しなければならない。
【００７８】
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【産業上の利用可能性】
【００７９】
本発明は、会員紹介サイトやアプリケーションを実行して会員登録をし、管理者の承認審査プロセスを介して利用承認手続きを踏むことになり、利用承認を受けた利用者に入力された個人情報と、現在の接続位置情報を参照して、マッチング成功の可能性この高い順に会員同士をマッチングさせるようにする。
【００８０】
また、決められた時間内に相手とお互いに好感を表現してマッチングに成功するかどうかを決定し、マッチングの成功時に非公開情報である連絡先情報を提供することができ、同時にチャットやメッセージ機能を提供することによって、会員紹介の分野に有効に活用することができるだろう。
【符号の説明】
【００８１】
１００  会員紹介サーバ
２００  会員クライアント
３００  利用承認審査端末
【図１】
2015517153.tif 000003
【図２】
2015517153.tif 000004
【図３】
2015517153.tif 000005
【図４】
2015517153.tif 000006
【図５】
2015517153.tif 000007
【図６】
2015517153.tif 000008
【図７】
2015517153.tif 000009
【図８】
2015517153.tif 000010
【国際調査報告】
2015517153.tif 000011
2015517153.tif 000012
2015517153.tif 000013